(57)【要約】【課題】特殊な装置を用いなくとも一の表示画像を視認者に視認させるとともに、特殊な装置を用いることで他の表示画像も視認者に視認させる。【解決手段】表示装置１であって、表示部１０４に表示される第１の表示画像と第２の表示画像とをそれぞれ指定する第１画像指定部１０６ａと、第１の表示画像の各画素の画素値を構成する第１の画素値と、第１の表示画像及び第２の表示画像の各画素の画素値を構成する第２の画素値とを、各画素毎に特定する第１特定部１０６ｂと、表示部の各表示画素毎に、特定された各画素毎の第１の画素値と第２の画素値とを時分割で周期的に切り換えて画像を表示させる表示制御部１０６ｃと、を備えている。【選択図】図２
2018010059.tif 000002
【特許請求の範囲】
【請求項１】
表示領域を構成する各表示画素毎に、複数の画素値を時分割で周期的に切り換える表示手段と、
前記表示手段に表示される第１の表示画像と第２の表示画像とをそれぞれ指定する指定手段と、
前記第１の表示画像の各画素の画素値を構成する第１の画素値と、前記第１の表示画像及び前記第２の表示画像の各画素の画素値を構成する第２の画素値とを、各画素毎に特定する特定手段と、
前記表示手段の各表示画素毎に、前記特定手段により特定された各画素毎の前記第１の画素値と前記第２の画素値とを時分割で周期的に切り換えて画像を表示させる表示制御手段と、
を備えたことを特徴とする表示装置。
【請求項２】
前記特定手段は、前記第１の表示画像を構成し、各画素の画素値を前記第１の画素値とする第１の分割画像を特定するとともに、前記第１の表示画像及び前記第２の表示画像を構成し、各画素の画素値を前記第２の画素値とする第２の分割画像を特定し、
前記表示制御手段は、前記特定手段により特定された前記第１の分割画像と前記第２の分割画像とを時分割で周期的に切り換えて前記表示手段に表示させる
ことを特徴とする請求項１に記載の表示装置。
【請求項３】
前記特定手段は、更に、
前記第１の画素値で出力される第１の期間と前記第２の画素値で出力される第２の期間との割合に応じて前記第１の画素値と前記第２の画素値とを合成することにより各画素を構成した画像が前記第１の表示画像となり、且つ、前記第２の期間出力される前記第２の画素値により各画素を構成した画像が前記第２の表示画像となるように、前記第１の画素値、前記第２の画素値、前記第１の期間及び前記第２の期間を各画素毎に特定し、
前記表示制御手段は、更に、
前記特定手段により特定された各画素毎の前記第１の画素値、前記第２の画素値、前記第１の期間及び前記第２の期間に基づいて、前記表示手段の各表示画素毎に前記第１の画素値で前記第１の期間出力するとともに前記第２の画素値で前記第２の期間出力するように時分割で周期的に切り換えて、前記表示手段に前記第１の表示画像及び前記第２の表示画像を表示させる
ことを特徴とする請求項１又は２に記載の表示装置。
【請求項４】
前記特定手段は、前記第１の表示画像と前記第２の表示画像とに基づいて、前記第１の分割画像と前記第２の分割画像とを生成して特定する
ことを特徴とする請求項２に記載の表示装置。
【請求項５】
前記表示手段は、前記第１の画素値と前記第２の画素値とを、その変化を肉眼では認識不可能な所定速度で周期的に切り換えながら表示し、
前記第１の表示画像は、肉眼で認識可能であり、
前記第２の表示画像は、前記第２の画素値での出力タイミングに同期した外部装置を介して認識可能である
ことを特徴とする請求項２に記載の表示装置。
【請求項６】
前記外部装置は、前記第２の画素値での出力タイミングに同期して透過／非透過を切り換える眼鏡と、前記第２の画素値での出力タイミングに同期して露光／非露光を切り換える撮像装置とのうち、少なくとも一方を含む
ことを特徴とする請求項５に記載の表示装置。
【請求項７】
前記表示手段は、前記表示領域を構成する各表示画素毎に、３つ以上の画素値を時分割で周期的に切り換え、
前記特定手段は、前記３つ以上の画素値の各々により各画素を構成した３つ以上の画像が前記第１の表示画像となり、且つ、前記３つ以上の画素値のうちの何れか１つの画素値により各画素を構成した画像が前記第２の表示画像となるように、前記３つ以上の画素値を各画素毎に特定し、
前記表示制御手段は、前記表示手段の各表示画素毎に、前記特定手段により特定された各画素毎の前記３つ以上の画素値を時分割で周期的に切り換えて画像を表示させる
ことを特徴とする請求項２に記載の表示装置。
【請求項８】
前記第１の表示画像は、前記表示手段の表示領域全体に表示される画像であり、
前記第２の表示画像は、前記第１の表示画像よりも小さい画像であり、
前記表示手段は、前記第１の表示画像内で輝度が相対的に高い領域に前記第２の表示画像を表示する
ことを特徴とする請求項１〜７の何れか一項に記載の表示装置。
【請求項９】
表示領域を構成する各表示画素毎に、複数の画素値を時分割で周期的に切り換える表示手段を備える表示装置を用いた表示方法であって、
前記表示手段に表示される第１の表示画像と第２の表示画像とをそれぞれ指定する処理と、
前記第１の表示画像の各画素の画素値を構成する第１の画素値と、前記第１の表示画像及び前記第２の表示画像の各画素の画素値を構成する第２の画素値とを、各画素毎に特定する処理と、
前記表示手段の各表示画素毎に、特定された各画素毎の前記第１の画素値と前記第２の画素値とを時分割で周期的に切り換えて画像を表示させる処理と、
を含むことを特徴とする表示方法。
【請求項１０】
表示領域を構成する各表示画素毎に、複数の画素値を時分割で周期的に切り換える表示手段を備える表示装置のコンピュータを、
前記表示手段に表示される第１の表示画像と第２の表示画像とをそれぞれ指定する指定手段、
前記第１の表示画像の各画素の画素値を構成する第１の画素値と、前記第１の表示画像及び前記第２の表示画像の各画素の画素値を構成する第２の画素値とを、各画素毎に特定する特定手段、
前記表示手段の各表示画素毎に、前記特定手段により特定された各画素毎の前記第１の画素値と前記第２の画素値とを時分割で周期的に切り換えて画像を表示させる表示制御手段、
として機能させることを特徴とするプログラム。
【発明の詳細な説明】
【技術分野】
【０００１】
本発明は、表示装置、表示方法及びプログラムに関する。
【背景技術】
【０００２】
従来、画像情報を時分割することによって複数の画像を一つの画面で観察し得る再生方式が知られている。例えば、右目用の画像と左目用の画像とを液晶シャッター付きのメガネをかけて鑑賞する立体映像技術や、全く異なる複数の画像を複数の人が同時に鑑賞できるようにした技術などが知られている（例えば、特許文献１参照）。
【先行技術文献】
【特許文献】
【０００３】
【特許文献１】特開平６−１７５６３１号公報
【発明の概要】
【発明が解決しようとする課題】
【０００４】
しかしながら、上記特許文献１の場合、一つの画面で異なる複数の画像を選択して見ることができるが、電子シャッター付きのメガネなどの特殊な装置を用いない限り何れの画像も視認することができないといった問題がある。
【０００５】
本発明は、このような問題に鑑みてなされたものであり、本発明の課題は、特殊な装置を用いなくとも一の表示画像を視認者に視認させることができるとともに、特殊な装置を用いることで他の表示画像も視認者に視認させることができる表示装置、表示方法及びプログラムを提供することである。
【課題を解決するための手段】
【０００６】
上記課題を解決するため、本発明に係る表示装置は、
表示領域を構成する各表示画素毎に、複数の画素値を時分割で周期的に切り換える表示手段と、
前記表示手段に表示される第１の表示画像と第２の表示画像とをそれぞれ指定する指定手段と、
前記第１の表示画像の各画素の画素値を構成する第１の画素値と、前記第１の表示画像及び前記第２の表示画像の各画素の画素値を構成する第２の画素値とを、各画素毎に特定する特定手段と、
前記表示手段の各表示画素毎に、前記特定手段により特定された各画素毎の前記第１の画素値と前記第２の画素値とを時分割で周期的に切り換えて画像を表示させる表示制御手段と、
を備えたことを特徴としている。
【発明の効果】
【０００７】
本発明によれば、特殊な装置を用いなくとも一の表示画像を視認者に視認させることができるとともに、特殊な装置を用いることで他の表示画像も視認者に視認させることができる。
【図面の簡単な説明】
【０００８】
【図１】本発明を適用した実施形態１の表示システムの概略構成を模式的に示す図である。
【図２】図１の表示システムを構成する表示装置の概略構成を示すブロック図である。
【図３】図２の表示装置に表示される画像の一例を模式的に示す図である。
【図４】図２の表示装置の各表示画素の動作を説明するための図である。
【図５】図２の表示装置に表示される画像を説明するための図である。
【図６】図２の表示装置に表示される画像を説明するための図である。
【図７】図１の表示システムを構成する眼鏡型端末の概略構成を示すブロック図である。
【図８】図１の表示システムを用いた画像視認処理に係る動作の一例を示すフローチャートである。
【図９】本発明を適用した実施形態２の表示システムの概略構成を模式的に示す図である。
【図１０】図９の表示システムを構成する撮像装置の概略構成を示すブロック図である。
【図１１】図９の表示システムを用いた画像視認処理に係る動作の一例を示すフローチャートである。
【図１２】本発明を適用した実施形態３の表示システムの概略構成を模式的に示す図である。
【図１３】図１２の表示システムを構成する表示装置の概略構成を示すブロック図である。
【図１４】図１２の表示システムを構成する撮像装置の概略構成を示すブロック図である。
【図１５】図１２の表示システムを用いた画像視認処理に係る動作の一例を示すフローチャートである。
【発明を実施するための形態】
【０００９】
以下に、本発明について、図面を用いて具体的な態様を説明する。ただし、発明の範囲は、図示例に限定されない。
【００１０】
［実施形態１］
図１は、本発明を適用した実施形態１の表示システム１００の概略構成を模式的に示す図である。
図１に示すように、本実施形態の表示システム１００は、表示装置１と、眼鏡型端末２とを備えている。
【００１１】
＜表示装置＞
先ず、表示装置１について、図２〜図６を参照して説明する。
図２は、表示装置１の概略構成を示すブロック図である。
【００１２】
表示装置１は、所謂、時分割駆動方式の表示装置であり、例えば、液晶ディスプレイや有機ＥＬ（Electro-Luminescence）ディスプレイ等から構成されている。具体的には、図２に示すように、表示装置１は、中央制御部１０１と、メモリ１０２と、記録部１０３と、表示部１０４と、操作入力部１０５と、動作処理部１０６と、通信制御部１０７とを備えている。
また、中央制御部１０１、メモリ１０２、記録部１０３、表示部１０４、操作入力部１０５、動作処理部１０６及び通信制御部１０７は、バスライン１０８を介して接続されている。
【００１３】
中央制御部１０１は、表示装置１の各部を制御するものである。具体的には、中央制御部１０１は、図示は省略するが、ＣＰＵ（Central Processing Unit）等を備え、表示装置１用の各種処理プログラム（図示略）に従って各種の制御動作を行う。
【００１４】
メモリ１０２は、例えば、ＤＲＡＭ（Dynamic Random Access Memory）等により構成され、中央制御部１０１、動作処理部１０６等によって処理されるデータ等を一時的に格納する。
【００１５】
記録部１０３は、例えば、ＳＳＤ（Solid State Drive）等から構成され、図示しない画像処理部により所定の圧縮形式（例えば、ＪＰＥＧ形式等）で符号化された静止画像Ｓの画像データを記録する。
なお、記録部１０３に記録されている画像データは、当該表示装置１の図示しない撮像部により撮影されたものであっても良いし、外部の撮像装置（図示略）により撮影された後、当該表示装置１に転送されて記録部１０３に記録されたものであっても良い。
【００１６】
また、記録部１０３は、例えば、記録媒体（図示略）が着脱自在に構成され、装着された記録媒体からのデータの読み出しや記録媒体に対するデータの書き込みを制御する構成であっても良い。
【００１７】
表示部１０４は、例えば、液晶表示パネルや有機ＥＬ表示パネル等の表示パネル１０４ａを具備し、その表示領域に画像を表示する。
すなわち、表示部１０４は、図示しない画像処理部により復号された所定サイズの画像データに基づいて、静止画像やアプリケーション画面等を表示領域に表示する。また、表示部（表示手段）１０４は、表示パネル１０４ａの表示領域を構成する各表示画素毎に、肉眼画像Ｉａ（第１の表示画像；図６（ａ）参照）を構成する第１の画素値と肉眼画像Ｉａ及び特殊画像Ｉｂ（第２の表示画像；図６（ｂ）参照）を構成する第２の画素値とを時分割で周期的に切り換える。具体的には、表示部１０４は、表示パネル１０４ａのリフレッシュレート（垂直同期周波数）を画素値の変化を肉眼では認識不可能な所定速度（例えば、６０Ｈｚ以上）とし、時分割駆動方式で画像を表示可能に構成されている。そして、後述する表示制御部１０６ｃは、パルス幅変調（Pulse Width Modulation；ＰＷＭ）方式で表示パネル１０４ａのパネル駆動回路（図示略）を制御して、各表示画素毎に第１の画素値で第１の期間Ｔ１出力するとともに第２の画素値で第２の期間Ｔ２出力するように時分割で画素値及びその出力期間を周期的に切り換えることで、肉眼画像Ｉａ及び特殊画像Ｉｂを表示パネル１０４ａに表示させる（詳細後述；図５等参照）。
なお、図５には、表示パネル１０４ａに表示される画像を模式的に表しているが、眼鏡型端末２を介してのみ認識可能な部分（特殊画像Ｉｂ）は、複数の縦線を用いて表している。
【００１８】
操作入力部１０５は、当該表示装置１の所定操作を行うためのものである。具体的には、操作入力部１０５は、電源のＯＮ／ＯＦＦ操作に係る電源ボタン、各種のモードや機能等の選択指示に係るボタン等（何れも図示略）を備えている。
そして、ユーザにより各種ボタンが操作されると、操作入力部１０５は、操作されたボタンに応じた操作指示を中央制御部１０１に出力する。中央制御部１０１は、操作入力部１０５から出力され入力された操作指示に従って所定の動作（例えば、静止画像の表示等）を各部に実行させる。
【００１９】
なお、操作入力部１０５は、表示部１０４の表示パネル１０４ａと一体となって設けられたタッチパネルを有していても良い。
【００２０】
動作処理部１０６は、第１画像指定部１０６ａと、第１特定部１０６ｂと、表示制御部１０６ｃとを具備している。
なお、動作処理部１０６の各部は、例えば、所定のロジック回路から構成されているが、当該構成は一例であってこれに限られるものではない。
【００２１】
第１画像指定部（指定手段）１０６ａは、表示部１０４に表示される肉眼画像（第１の表示画像）Ｉａと特殊画像（第２の表示画像）Ｉｂとをそれぞれ指定する。
ここで、肉眼画像Ｉａは、視認者が肉眼（コンタクトレンズや眼鏡等の視力矯正治具の有無を問わない）で認識可能な画像である（図６（ａ）参照）。また、肉眼画像Ｉａは、表示パネル１０４ａの表示領域全体に表示され、例えば、写真等が挙げられる。すなわち、例えば、記録部１０３に記録されている静止画像（例えば、写真等）Ｓの中から、ユーザによる操作入力部１０５の所定操作に基づいてユーザが所望する静止画像Ｓが選択されると、第１画像指定部１０６ａは、選択された静止画像Ｓを肉眼画像Ｉａとして指定する。
特殊画像Ｉｂは、視認者が肉眼では認識不可能な画像であり、眼鏡型端末２等の特殊な装置を介してのみ認識可能な画像である（図６（ｂ）参照）。また、特殊画像Ｉｂは、肉眼画像Ｉａよりも表示面積の小さい画像であり、例えば、肉眼画像Ｉａとの関連性を有する文字、二次元コード等が挙げられる。すなわち、肉眼画像Ｉａが指定されると、第１画像指定部１０６ａは、例えば、ユーザによる操作入力部１０５の所定操作に基づいて入力された文字（例えば、肉眼画像Ｉａの内容を説明する文字等）、或いは、指定された肉眼画像Ｉａを基にｗｅｂ上で検索された文字等を特殊画像Ｉｂとして指定する。
【００２２】
なお、上記した肉眼画像Ｉａと特殊画像Ｉｂの指定の順序は、一例であってこれに限られるものではなく、第１画像指定部１０６ａは、先に特殊画像Ｉｂの指定を行って、指定された文字を基にｗｅｂ上で検索された写真を肉眼画像Ｉａとして指定しても良い。
【００２３】
第１特定部１０６ｂは、肉眼画像Ｉａや特殊画像Ｉｂを表示させるために、時分割で周期的に切り換えられる第１の画素値及び第２の画素値を特定する。
すなわち、第１特定部（特定手段）１０６ｂは、肉眼画像Ｉａの各画素の画素値を構成する第１の画素値と、肉眼画像Ｉａの各画素の画素値を構成するとともに特殊画像Ｉｂの各画素の画素値を構成する第２の画素値とを、各画素毎に特定する。具体的には、第１特定部１０６ｂは、肉眼画像Ｉａと特殊画像Ｉｂとに基づいて、第１の分割画像と第２の分割画像とを生成して特定する。
ここで、第１の分割画像は、肉眼画像Ｉａを構成し、各画素の画素値を第１の画素値とする画像である。具体的には、第１の分割画像は、例えば、表示パネル１０４ａの表示領域の各表示画素毎に、第１の画素値で第１の期間Ｔ１出力されることで形成される。
また、第２の分割画像は、肉眼画像Ｉａ及び特殊画像Ｉｂを構成し、各画素の画素値を第２の画素値とする画像である。具体的には、第２の分割画像は、例えば、表示パネル１０４ａの表示領域の各表示画素毎に、第２の画素値で第２の期間Ｔ２出力されることで形成される。
【００２４】
また、第１の分割画像及び第２の分割画像が、実際に表示パネル１０４ａの表示領域に時分割で周期的に切り換えられながら表示される画像である。すなわち、画素値の変化を肉眼では認識不可能な所定速度（例えば、リフレッシュレートで６０Ｈｚ以上等）で第１の分割画像の第１の画素値及び第２の分割画像の第２の画素値が時分割で周期的に切り換えられることで、視認者が眼鏡型端末２を用いない場合には、肉眼画像Ｉａを視認可能となる一方で（図６（ａ）参照）、視認者が眼鏡型端末２を用いる場合には、第２の画素値での出力タイミングに液晶シャッター２０３ａ（後述；図７参照）を同期させることで肉眼画像Ｉａと特殊画像Ｉｂとの両方を視認可能となる（図６（ｂ）参照）。
【００２５】
ここで、表示パネル１０４ａの表示領域に第１の分割画像及び第２の分割画像を時分割で周期的に切り換えて表示する場合の当該表示領域の各表示画素の駆動について、図３及び図４を参照して説明する。
なお、図３（ａ）〜図３（ｃ）並びに図４（ａ）〜図４（ｃ）にあっては、階調をドットの数で模式的に表している。
【００２６】
図３（ａ）及び図３（ｂ）に示すように、画素値の変化を肉眼では認識不可能な所定速度（例えば、リフレッシュレートで６０Ｈｚ以上等）で、各表示画素毎に画素値を周期的に切り換える場合、階調（明るさの濃淡）は、ＯＮ／ＯＦＦのＤｕｔｙ比によって表される。すなわち、Ｄｕｔｙ比が低くなると（低Ｄｕｔｙ比）、肉眼では見た目上暗くなり（図３（ａ）参照）、一方、Ｄｕｔｙ比が高くなると（高Ｄｕｔｙ比）、肉眼では見た目上明るくなる（図３（ｂ）参照）。そして、図３（ａ）に示す階調を階調「１」とし、図３（ｂ）に示す階調を階調「２」とし、各表示画素毎に画素値の変化を肉眼では認識不可能な所定速度で階調「１」と階調「２」とを切り換える場合（図３（ｃ）参照）、階調「１」の明るさと、階調「２」の明るさと、切り換えのＤｕｔｙ比を変化させることによって、階調（明るさ）が表される。
例えば、下記のように、階調「１」の明るさと、階調「２」の明るさと、切り換えのＤｕｔｙ比を全て異ならせても、肉眼では見た目上の階調が等しくなる。
パラメータ（１）:階調「１」の明るさ；100、階調「２」の明るさ；0、Ｄｕｔｙ比；0.5
100×0.5＋0×（1−0.5）＝50
パラメータ（２）:階調「１」の明るさ；70、階調「２」の明るさ；20、Ｄｕｔｙ比；0.6
70×0.6＋20×（1−0.6）＝50
パラメータ（３）:階調「１」の明るさ；50、階調「２」の明るさ；50、Ｄｕｔｙ比；0.1
50×0.1＋50×（1−0.1）＝50
【００２７】
また、例えば、３×３の範囲内の表示画素の駆動を例示すると（図４（ａ）参照）、図中、「１」と記された表示画素を上記のパラメータ（１）で、「２」と記された表示画素を上記のパラメータ（２）で動作させても、肉眼では見た目上の全ての画素の階調（明るさ）が等しくなる（図４（ｂ）参照）。
これに対して、画素値の切り換え速度（例えば、リフレッシュレートで６０Ｈｚ以上）以上の速度で透過／非透過を切り換える液晶シャッター２０３ａを用いて、この液晶シャッター２０３ａを透過状態とするタイミングを制御することで、「１」の表示画素が階調１００の状態で、且つ、「２」の表示画素が階調５０の状態のタイミングのみを切り出すことができる（図４（ｃ）参照）。
【００２８】
本実施形態では、例えば、上記した「１」、「２」の表示画素に対応する画素が肉眼画像Ｉａに相当し、「２」の表示画素に対応する画素のみが特殊画像Ｉｂに相当する。
そこで、第１特定部１０６ｂは、第１の分割画像の各画素毎の第１の画素値、この第１の画素値で出力される第１の期間Ｔ１、第２の分割画像の各画素毎の第２の画素値、この第２の画素値で出力される第２の期間Ｔ２を特定する。具体的には、第１特定部１０６ｂは、第１の期間Ｔ１と第２の期間Ｔ２との割合に応じた割合で第１の画素値と第２の画素値とを合成することにより各画素を構成した画像が、肉眼では見た目上同一の肉眼画像Ｉａとなり、第２の期間Ｔ２出力される第２の画素値により各画素を構成した画像（第２の分割画像）が眼鏡型端末２を介して認識可能な特殊画像Ｉｂとなるように、第１の画素値、第１の期間Ｔ１、第２の画素値、第２の期間Ｔ２を各画素毎に特定する。
すなわち、肉眼画像（第１の表示画像）Ｉａの各画素の画素値ｆ（ｘ，ｙ）は、下記式（１）に従って、第１の分割画像の各画素の第１の画素値ｈ（ｘ，ｙ）と第１の期間Ｔ１、特殊画像（第２の表示画像）Ｉｂを構成する第２の分割画像の各画素の第２の画素値ｇ（ｘ，ｙ）と第２の期間Ｔ２を用いて表される。
【数１】
2018010059.tif 000003
そして、肉眼画像Ｉａの各画素の画素値ｆ（ｘ，ｙ）と、特殊画像（第２の分割画像）Ｉｂの各画素の第２の画素値ｇ（ｘ，ｙ）とを一意的に決定することができれば、第１の分割画像の各画素の第１の画素値ｈ（ｘ，ｙ）は、下記式（２）に従って表される。
【数２】
2018010059.tif 000004
【００２９】
また、第１特定部１０６ｂは、肉眼画像Ｉａ内における当該肉眼画像Ｉａの肉眼での視認に影響を生じさせない位置を特殊画像Ｉｂの表示位置としても良い。すなわち、第１の分割画像と第２の分割画像とが時分割で切り換えられながら表示され、眼鏡型端末２を用いることなく肉眼画像Ｉａを視認する視認者にチラツキを生じさせずに、且つ、特殊画像Ｉｂをより識別可能な態様で表示する上で、第１特定部１０６ｂは、肉眼画像Ｉａ内で輝度が相対的に高い領域（図示略）を検出し、検出された輝度が相対的に高い領域が特殊画像Ｉｂの表示位置となるのが好ましい。
さらに、第１特定部１０６ｂは、肉眼画像Ｉａ内での特殊画像Ｉｂの表示位置として検出された輝度の高い領域内に収まるように、特殊画像Ｉｂの大きさを自動的に決定しても良いし、輝度の高い領域の代表色（例えば、平均の色等）を考慮して、より容易に識別可能となるように特殊画像Ｉｂの色を自動的に決定しても良い。
【００３０】
表示制御部（表示制御手段）１０６ｃは、表示パネル１０４ａの表示領域を構成する各表示画素毎に、第１特定部１０６ｂにより特定された各画素毎の第１の画素値と第２の画素値とを時分割で周期的に切り換えて画像を表示させる。
すなわち、表示制御部１０６ｃは、第１特定部１０６ｂにより特定された各画素毎の第１の画素値、第２の画素値、第１の期間Ｔ１及び第２の期間Ｔ２に基づいて、表示パネル１０４ａの表示領域を構成する各表示画素毎に第１の画素値で第１の期間Ｔ１出力するとともに第２の画素値で第２の期間Ｔ２出力するように時分割で周期的に切り換える。
そして、表示制御部１０６ｃは、各画素の画素値を第１の画素値とする第１の分割画像と、各画素の画素値を第２の画素値とする第２の分割画像とを時分割で周期的に切り換えて表示パネル１０４ａの表示領域に表示させることで、視認者が眼鏡型端末２を用いることなく視認可能な肉眼画像Ｉａ（図６（ａ）参照）と、視認者が眼鏡型端末２を用いて視認可能な特殊画像Ｉｂ（図６（ｂ）参照）とを表示パネル１０４ａの表示領域に表示させる。
【００３１】
通信制御部１０７は、所定の無線通信回線を介して眼鏡型端末２等の外部機器との間で情報の通信制御を行う。
すなわち、通信制御部１０７は、例えば、発光ダイオード等からなる赤外線送信部（図示略）を有し、この赤外線送信部から眼鏡型端末２の液晶シャッター２０３ａ（図７参）の駆動を同期させるための同期制御信号を眼鏡型端末２に対して送信する。この同期制御信号は、表示部１０４による第２の画素値の出力タイミング（特殊画像Ｉｂの表示タイミング）に眼鏡型端末２の液晶シャッター２０３ａの透過／非透過のタイミングを同期させるための信号である。
なお、通信制御部１０７は、上記した赤外線通信に換えて、例えば、Bluetooth（登録商標）や無線ＬＡＮを用いて、外部機器との間で情報の通信制御を行っても良い。
【００３２】
次に、眼鏡型端末２について、図７を参照して説明する。
図７は、眼鏡型端末２の概略構成を示すブロック図である。
【００３３】
眼鏡型端末２は、例えば、透過／非透過を切り換える電子シャッターを有する眼鏡である。具体的には、図７に示すように、眼鏡型端末２は、中央制御部２０１と、メモリ２０２と、画像選択部２０３と、操作入力部２０４と、通信制御部２０５等を備えている。
また、中央制御部２０１、メモリ２０２、画像選択部２０３、操作入力部２０４及び通信制御部２０５は、バスライン２０６を介して接続されている。
【００３４】
中央制御部２０１は、眼鏡型端末２の各部を制御するものである。具体的には、中央制御部２０１は、図示は省略するが、ＣＰＵ等を備え、眼鏡型端末２用の各種処理プログラム（図示略）に従って各種の制御動作を行う。
【００３５】
メモリ２０２は、例えば、ＤＲＡＭ等により構成され、中央制御部２０１の他、当該眼鏡型端末２の各部によって処理されるデータ等を一時的に格納する。
【００３６】
画像選択部２０３は、時分割で周期的に切り換えて表示される画像の中から、所望の画像を選択して通過させる。
すなわち、画像選択部２０３は、透過／非透過を切り換え可能な液晶シャッター２０３ａを有している。この液晶シャッター２０３ａは、眼鏡型端末２のレンズに一体となって設けられ、当該眼鏡型端末２の装着者の両目に対応させて２つ設けられている。そして、画像選択部２０３は、表示装置１から送信され通信制御部２０５により受信された同期制御信号に基づいて、表示装置１における第２の画素値の出力タイミング（特殊画像Ｉｂの表示タイミング）に液晶シャッター２０３ａを透過状態とするタイミングを同期させる。これにより、液晶シャッター２０３ａを特殊画像Ｉｂが透過し、透過した特殊画像Ｉｂを眼鏡型端末２の装着者が視認可能となる。
なお、電子シャッターとしては、液晶シャッター２０３ａ以外のものを用いても良いし、レンズとは別体で構成されていても良い。また、電子シャッターに換えて、機械式のシャッターを用いても良い。
【００３７】
操作入力部２０４は、眼鏡型端末２本体に対して各種指示を入力するためのものである。
具体的には、操作入力部２０４は、眼鏡型端末２本体の電源のＯＮ／ＯＦＦに係る電源ボタン、モードや機能等の選択指示に係る上下左右のカーソルボタンや決定ボタン等の各種ボタン（何れも図示略）を備えている。
そして、ユーザにより各種ボタンが操作されると、操作入力部２０４は、操作されたボタンに応じた操作指示を中央制御部２０１に出力する。中央制御部２０１は、操作入力部２０４から出力され入力された操作指示に従って所定の動作を各部に実行させる。
【００３８】
通信制御部２０５は、所定の無線通信回線を介して表示装置１等の外部機器との間で情報の通信制御を行う。
すなわち、通信制御部２０５は、例えば、赤外線受光素子等からなる赤外線受信部（図示略）を有し、この赤外線受信部により表示装置１から送信された液晶シャッター２０３ａの駆動を同期させるための同期制御信号を受信する。そして、通信制御部２０５は、受信した同期制御信号を画像選択部２０３に出力する。
【００３９】
＜画像視認処理＞
次に、表示システム１００を用いた画像視認処理による出力処理について、図８を参照して説明する。
図８は、画像視認処理に係る動作の一例を示すフローチャートである。
【００４０】
図８に示すように、表示装置１では、先ず、第１画像指定部１０６ａは、ユーザによる操作入力部１０５の所定操作に基づいて記録部１０３に記録されている静止画像（例えば、写真等）Ｓの中から選択されたユーザが所望する静止画像Ｓを肉眼画像Ｉａとして指定する（ステップＳ１）。
続いて、第１画像指定部１０６ａは、例えば、ユーザによる操作入力部１０５の所定操作に基づいて入力された文字（例えば、「○○岳；標高＊＊＊＊Ｍ」等）を特殊画像Ｉｂとして指定する（ステップＳ２）。
【００４１】
次に、第１特定部１０６ｂは、第１の分割画像の各画素毎の第１の画素値、この第１の画素値で出力される第１の期間Ｔ１、第２の分割画像の各画素毎の第２の画素値、この第２の画素値で出力される第２の期間Ｔ２を特定する（ステップＳ３）。
具体的には、第１特定部１０６ｂは、特殊画像Ｉｂを第２の分割画像として、この第２の分割画像の各画素毎の第２の画素値、この第２の画素値で出力される第２の期間Ｔ２を各画素毎に特定するとともに、式（１）、（２）に従って、肉眼画像Ｉａから第２の分割画像を減算したものを第１の分割画像とし、第１の画素値で出力される第１の期間Ｔ１と第２の期間Ｔ２との割合に応じた割合で第１の画素値と第２の画素値とを合成することにより各画素を構成した画像が、肉眼では見た目上同一の肉眼画像Ｉａとなるように、第１の画素値と第１の期間Ｔ１を各画素毎に特定する。
なお、第１の期間Ｔ１と第２の期間Ｔ２を同じ長さとし、第１の分割画像と第２の分割画像との切り換えのＤｕｔｙ比が、0.5（50％）となるようにしても良い。
【００４２】
次に、通信制御部１０７は、眼鏡型端末２の液晶シャッター２０３ａ（図７参）の駆動を同期させるための同期制御信号を生成して、赤外線送信部から眼鏡型端末２に対して送信する（ステップＳ４）。
【００４３】
眼鏡型端末２では、表示装置１から送信された同期制御信号が通信制御部２０５により受信されると、画像選択部２０３は、受信された同期制御信号に基づいて、表示装置１における第２の画素値の出力タイミングに液晶シャッター２０３ａを透過状態とするタイミングを同期させるように、当該液晶シャッター２０３ａの透過／非透過の切換えタイミングを調整する（ステップＳ５）。
【００４４】
その後、表示装置１では、表示制御部１０６ｃは、第１特定部１０６ｂにより特定された各画素毎の第１の画素値、第２の画素値、第１の期間Ｔ１及び第２の期間Ｔ２に基づいて、各画素の画素値を第１の画素値とする第１の分割画像と、各画素の画素値を第２の画素値とする第２の分割画像とを時分割で周期的に切り換えて表示パネル１０４ａの表示領域に表示させる（ステップＳ６）。具体的には、表示制御部１０６ｃは、表示パネル１０４ａの表示領域を構成する各表示画素毎に第１の画素値で第１の期間Ｔ１出力するとともに第２の画素値で第２の期間Ｔ２出力するように時分割で周期的に切り換える。これにより、表示部１０４の表示パネル１０４ａの表示領域には、眼鏡型端末２を用いない視認者でも視認可能な肉眼画像Ｉａ（図６（ａ）参照）と、視認者が眼鏡型端末２を用いることで視認可能な特殊画像Ｉｂ（図６（ｂ）参照）とが表示された状態となる。
これにより、画像視認処理を終了する。
【００４５】
以上のように、実施形態１の表示システム１００によれば、表示装置１は、肉眼画像（第１の表示画像）Ｉａの各画素の画素値を構成する第１の画素値と、肉眼画像Ｉａ及び特殊画像（第２の表示画像）Ｉｂの各画素の画素値を構成する第２の画素値とを、各画素毎に特定し、表示パネル１０４ａの各表示画素毎に、特定された各画素毎の第１の画素値と第２の画素値とを時分割で周期的に切り換えて画像を表示させるので、第１の画素値と第２の画素値とを、その変化を肉眼では認識不可能な所定速度で周期的に切り換えながら表示させることで、眼鏡型端末２等の特殊な装置を用いなくとも肉眼画像（一の表示画像）Ｉａを視認者に視認させることができるとともに、第２の画素値での出力タイミングに同期して透過／非透過を切り換える眼鏡型端末２等を用いることで特殊画像（他の表示画像）Ｉｂも視認者に視認させることができる。すなわち、例えば、表示画面を一人で視認している状況であれば、スイッチなどにより２つの画像を切り換え表示すればよいが、複数の人が同時に同じ表示画面を視認する状況であって、人によって視認したい内容が異なる場合や人によって視認可能な内容が制限されているような場合に、通常の画像（肉眼画像Ｉａ）は肉眼で誰でも視認することができ、特別な画像（特殊画像Ｉｂ）は眼鏡型端末２等の特殊な装置を手に入れた人だけが視認することが可能になる。
【００４６】
また、肉眼画像Ｉａを構成し、各画素の画素値を第１の画素値とする第１の分割画像と、肉眼画像Ｉａ及び特殊画像Ｉｂを構成し、各画素の画素値を第２の画素値とする第２の分割画像とを時分割で周期的に切り換えて表示パネル１０４ａに表示させることで、視認者が眼鏡型端末２を用いることなく視認可能な肉眼画像Ｉａと、視認者が眼鏡型端末２を用いて視認可能な特殊画像Ｉｂとを表示パネル１０４ａの表示領域に表示させることができる。具体的には、第１の期間Ｔ１と第２の期間Ｔ２との割合に応じた割合で第１の画素値と第２の画素値とを合成することにより各画素を構成した画像が、肉眼では見た目上同一の肉眼画像Ｉａとなり、第２の期間Ｔ２出力される第２の画素値により各画素を構成した画像が眼鏡型端末２を介して認識可能な特殊画像Ｉｂとなるように、第１の画素値、第１の期間Ｔ１、第２の画素値、第２の期間Ｔ２を各画素毎に特定し、特定された各画素毎の第１の画素値、第２の画素値、第１の期間Ｔ１及び第２の期間Ｔ２に基づいて、表示パネル１０４ａの表示領域を構成する各表示画素毎に第１の画素値で第１の期間Ｔ１出力するとともに第２の画素値で第２の期間Ｔ２出力するように時分割で周期的に切り換えて、表示パネル１０４ａに肉眼画像Ｉａ及び特殊画像Ｉｂを表示させることができる。特に、第１の画素値で出力される第１の期間Ｔ１と第２の画素値で出力される第２の期間Ｔ２との割合を調整することで、肉眼画像Ｉａ及び特殊画像Ｉｂのコントラストの確保を図ることができる。
さらに、表示パネル１０４ａの表示領域全体に表示される肉眼画像Ｉａ内で輝度が相対的に高い領域に、当該肉眼画像Ｉａよりも小さい特殊画像Ｉｂを表示するので、特殊画像Ｉｂは肉眼画像Ｉａを時分割した画像の一部であるために、特殊画像Ｉｂの各画素の輝度は、肉眼画像Ｉａの対応する画素の輝度よりも低くならざるを得ないが、肉眼画像Ｉａ内で輝度の高い領域に表示させることで特殊画像Ｉｂの輝度を確保し易くすることができる。
【００４７】
［実施形態２］
以下に、実施形態２の表示システム２００について説明する。
図９は、本発明を適用した実施形態２の表示システム２００の概略構成を模式的に示す図である。
【００４８】
図９に示すように、実施形態２の表示システム２００は、表示装置１と、撮像装置３とを備えている。
【００４９】
＜表示装置＞
表示装置１の構成及び機能は、上記実施形態１に例示したものと略同様であり、詳細な説明は省略するが、本実施形態２では、当該表示装置１から同期制御信号を撮像装置３に送信しないため、必ずしも通信制御部１０７を具備する必要はない。
【００５０】
＜撮像装置＞
以下に、撮像装置３について、図１０を参照して説明する。
図１０は、撮像装置３の概略構成を示すブロック図である。
【００５１】
撮像装置３は、例えば、表示装置１の表示パネル１０４ａのリフレッシュレートよりも高速な撮像フレームレートで被写体を撮像可能な装置である。具体的には、図１０に示すように、撮像装置３は、中央制御部３０１と、メモリ３０２と、撮像部３０３と、画像選択部３０４と、表示部３０５と、記録部３０６と、操作入力部３０７等を備えている。
また、中央制御部３０１、メモリ３０２、撮像部３０３、画像選択部３０４、表示部３０５、記録部３０６及び操作入力部３０７は、バスライン３０８を介して接続されている。
【００５２】
中央制御部３０１は、撮像装置３の各部を制御するものである。具体的には、中央制御部３０１は、図示は省略するが、ＣＰＵ等を備え、撮像装置３用の各種処理プログラム（図示略）に従って各種の制御動作を行う。
【００５３】
メモリ３０２は、例えば、ＤＲＡＭ等により構成され、中央制御部３０１の他、当該撮像装置３の各部によって処理されるデータ等を一時的に格納する。
【００５４】
撮像部３０３は、表示装置１の表示パネル１０４ａのリフレッシュレートよりも高速な撮像フレームレート（例えば、リフレッシュレートの定数倍の撮像フレームレート等）で被写体を連続して撮像して複数のフレーム画像を生成する。具体的には、撮像部３０３は、例えば、レンズ部３０３ａと、電子撮像部３０３ｂと、撮像制御部３０３ｃとを備えている。
【００５５】
レンズ部３０３ａは、例えば、ズームレンズやフォーカスレンズ等の複数のレンズ（図示略）から構成されている。
電子撮像部３０３ｂは、例えば、ＣＣＤ（Charge Coupled Device）やＣＭＯＳ（Complementary Metal-oxide Semiconductor）等のイメージセンサ（図示略）から構成され、レンズ部３０３ａの各種レンズを通過した光学像を二次元の画像信号に変換する。
撮像制御部３０３ｃは、例えば、タイミング発生器やドライバ（図示略）により電子撮像部３０３ｂを走査駆動して、所定周期毎にレンズ部３０３ａにより結像された光学像を電子撮像部３０３ｂにより二次元の画像信号に変換させ、当該電子撮像部３０３ｂの撮像領域から１画面分ずつフレーム画像を読み出してメモリ３０２に出力させる。なお、各フレーム画像は、図示しない画像処理部により逐次処理されて、デジタル値の輝度信号Ｙ及び色差信号Ｃｂ，Ｃｒ（ＹＵＶデータ）に変換される。
【００５６】
画像選択部３０４は、撮像部３０３により撮像された複数のフレーム画像の中から、特殊画像Ｉｂが写っているフレーム画像を選択する。
すなわち、表示装置１の表示パネル１０４ａに、各画素の画素値を第１の画素値とする第１の分割画像と、各画素の画素値を第２の画素値とする第２の分割画像とが時分割で周期的に切り換えられながら表示されている状況で、撮像部３０３が、当該表示パネル１０４ａの表示画面を被写体として表示パネル１０４ａのリフレッシュレートよりも高速な撮像フレームレートで連続して撮像する。これにより、表示パネル１０４ａの表示画面が連続して撮像された複数のフレーム画像が生成され、これら複数のフレーム画像は、肉眼画像Ｉａのみが写っているフレーム画像と、肉眼画像Ｉａ及び特殊画像Ｉｂの両方が写っているフレーム画像とから構成されている。
そこで、画像選択部３０４は、撮像部３０３により撮像された複数のフレーム画像を取得して、これら複数のフレーム画像のうち、隣合うフレーム画像どうしで所定領域の画素値（例えば、輝度値）を比較する。例えば、画像選択部３０４は、フレーム画像全体や、肉眼画像Ｉａ内での特殊画像Ｉｂの表示位置が判明している場合には当該表示位置に対応する領域（例えば、肉眼画像Ｉａ内で輝度が相対的に高い領域等）の画素値の差分二乗和ＳＳＤ（Sum of Squared Differences）を評価値として算出し、算出された評価値が予め設定されている所定の閾値よりも大きいか否かを判定する。ここで、所定の閾値は、例えば、表示パネル１０４ａに肉眼画像Ｉａのみが表示された状態が撮像されたフレーム画像を用いて算出されても良いし、予めデフォルトとして規定されていても良い。
例えば、特殊画像Ｉｂが写っているフレーム画像では、評価値が所定の閾値よりも大きくなり、隣合うフレーム画像どうしの内容に変化が生じる。
そして、画像選択部３０４は、隣合うフレーム画像どうしの比較結果に基づいて、特殊画像Ｉｂが写っているフレーム画像を検出する。
【００５７】
なお、上記した特殊画像Ｉｂが写っているフレーム画像の選択手法は、一例であってこれに限られるものではなく、適宜任意に変更可能である。例えば、特殊画像Ｉｂに予め所定の形状や色を有するマーカーを付与しておき、複数のフレーム画像の中からマーカーが付与されているフレーム画像を特殊画像Ｉｂが写っているフレーム画像として選択するようにしても良い。
【００５８】
表示部３０５は、例えば、液晶表示パネルや有機ＥＬ表示パネル等の表示パネル３０５ａを具備し、その表示領域に画像を表示する。
すなわち、表示部３０５は、例えば、静止画像や動画像の撮影モードにて、撮像部３０３による被写体の撮像により生成された複数のフレーム画像を所定の再生フレームレートで逐次更新しながらライブビュー画像を表示パネル３０５ａの表示画面に表示する。また、表示部３０５は、撮像部３０３により撮像された複数のフレーム画像の中から、画像選択部３０４により選択された特殊画像Ｉｂが写っているフレーム画像を表示パネル３０５ａの表示画面に表示する。
【００５９】
記録部３０６は、例えば、ＳＳＤ等から構成され、図示しない画像処理部により所定の圧縮形式（例えば、ＪＰＥＧ形式等）で符号化された画像の画像データを記録する。
例えば、記録部３０６は、画像選択部３０４により選択された特殊画像Ｉｂが写っているフレーム画像が所定の圧縮形式（例えば、ＪＰＥＧ形式等）で符号化された画像データを記録する。
なお、記録部３０６は、例えば、記録媒体（図示略）が着脱自在に構成され、装着された記録媒体からのデータの読み出しや記録媒体に対するデータの書き込みを制御する構成であっても良い。
【００６０】
操作入力部３０７は、当該撮像装置３の所定操作を行うためのものである。具体的には、操作入力部３０７は、被写体の撮像指示に係るシャッタボタン、撮像モードや機能等の選択指示に係る選択決定ボタン、ズーム量の調整指示に係るズームボタン等（何れも図示略）を備えている。
そして、ユーザにより各種ボタンが操作されると、操作入力部３０７は、操作されたボタンに応じた操作指示を中央制御部３０１に出力する。中央制御部３０１は、操作入力部３０７から出力され入力された操作指示に従って所定の動作（例えば、被写体の撮像）を各部に実行させる。
【００６１】
＜画像視認処理＞
次に、表示システム２００を用いた画像視認処理による出力処理について、図１１を参照して説明する。
図１１は、画像視認処理に係る動作の一例を示すフローチャートである。
【００６２】
図１１に示すように、表示装置１では、上記実施形態１の画像視認処理と同様に、先ず、第１画像指定部１０６ａは、ユーザによる操作入力部１０５の所定操作に基づいて、ユーザが所望する静止画像Ｓを肉眼画像Ｉａとして指定し（ステップＳ１１）、続いて、入力された文字（例えば、「○○岳；標高＊＊＊＊Ｍ」等）を特殊画像Ｉｂとして指定する（ステップＳ１２）。
【００６３】
次に、上記実施形態１の画像視認処理と同様に、第１特定部１０６ｂは、第１の分割画像の各画素毎の第１の画素値、この第１の画素値で出力される第１の期間Ｔ１、第２の分割画像の各画素毎の第２の画素値、この第２の画素値で出力される第２の期間Ｔ２を特定する（ステップＳ１３）。そして、表示制御部１０６ｃは、第１特定部１０６ｂにより特定された各画素毎の第１の画素値、第２の画素値、第１の期間Ｔ１及び第２の期間Ｔ２に基づいて、各画素の画素値を第１の画素値とする第１の分割画像と、各画素の画素値を第２の画素値とする第２の分割画像とを時分割で周期的に切り換えて表示パネル１０４ａの表示領域に表示させる（ステップＳ１４）。
【００６４】
撮像装置３では、撮像部３０３は、所定の撮像フレームレートで被写体を連続して撮像してライブビュー画像に係る複数のフレーム画像を生成し、表示部３０５は、生成された複数のフレーム画像を所定の再生フレームレートで逐次更新しながらライブビュー画像を表示パネル３０５ａの表示画面に表示する（ステップＳ１５）。
その後、中央制御部３０１のＣＰＵは、ユーザ（視認者を含む）により操作入力部３０７のシャッタボタンが操作されたか否かを判定する（ステップＳ１６）。
ここで、シャッタボタンが操作されていないと判定されると（ステップＳ１６；ＮＯ）、中央制御部３０１のＣＰＵは、処理をステップＳ１５に戻し、上記と同様に、撮像部３０３によりライブビュー画像が撮像され、表示部３０５は、ライブビュー画像を表示パネル３０５ａに表示させる。
【００６５】
一方、ステップＳ１６にて、シャッタボタンが操作されたと判定されると（ステップＳ１６；ＹＥＳ）、撮像部３０３は、表示装置１の表示パネル１０４ａのリフレッシュレートよりも高速な撮像フレームレートで被写体を連続して撮像して複数のフレーム画像を生成する（ステップＳ１７）。ここで、ユーザによるシャッタボタンの操作は、表示装置１による第１の分割画像及び第２の分割画像の表示の開始後に行われるものとする。
そして、画像選択部３０４は、撮像部３０３により撮像された複数のフレーム画像の中から、特殊画像Ｉｂが写っているフレーム画像を選択する（ステップＳ１８）。具体的には、画像選択部３０４は、撮像部３０３により撮像された複数のフレーム画像を取得して、これら複数のフレーム画像のうち、隣合うフレーム画像どうしで所定領域の画素値（例えば、輝度値）を比較し、隣合うフレーム画像どうしの比較結果に基づいて、特殊画像Ｉｂが写っているフレーム画像を検出する。
【００６６】
その後、表示部３０５は、画像選択部３０４により選択された特殊画像Ｉｂが写っているフレーム画像を取得して、表示パネル３０５ａの表示画面に表示する（ステップＳ１９）。そして、記録部３０６は、特殊画像Ｉｂが写っているフレーム画像が所定の圧縮形式（例えば、ＪＰＥＧ形式等）で符号化された画像データを記録する。
これにより、画像視認処理を終了する。
【００６７】
以上のように、本実施形態２の表示システム２００によれば、上記実施形態１と略同様に、撮像装置３等の特殊な装置を用いなくとも肉眼画像（一の表示画像）Ｉａを視認者に視認させることができるとともに、第２の画素値での出力タイミングに同期して露光／非露光を切り換える撮像装置３等を用いることで特殊画像（他の表示画像）Ｉｂも視認者に視認させることができる。
【００６８】
［実施形態３］
以下に、実施形態３の表示システム３００について説明する。
図１２は、本発明を適用した実施形態３の表示システム３００の概略構成を模式的に示す図である。
【００６９】
図１２に示すように、実施形態３の表示システム３００は、表示装置１Ａと、撮像装置３Ａとを備えている。
【００７０】
＜表示装置＞
先ず、表示装置１Ａについて、図１３を参照して説明する。
図１３は、表示装置１Ａの概略構成を示すブロック図である。
【００７１】
表示装置１Ａは、上記実施形態１、２の表示装置１と同様に、所謂、時分割駆動方式の表示装置であるが、当該表示装置１Ａは、例えば、映画等の字幕付きの動画像を表示する。
なお、以下に詳細に説明する以外の点は、上記実施形態１、２における表示装置１と略同様である。
【００７２】
図１３に示すように、記録部１０３は、例えば、ＳＳＤ等から構成され、図示しない画像処理部により所定の圧縮形式（例えば、ＭＰＥＧ形式等）で符号化された字幕付きの動画像Ｍの画像データを記録する。
この動画像Ｍは、例えば、複数のフレーム画像を有し、各フレーム画像毎に対応する字幕の文字データが対応付けられて構成されている。
【００７３】
動作処理部１０６は、第２画像指定部１０６ｄと、画像生成部１０６ｅと、第２特定部１０６ｆと、表示制御部１０６ｃとを具備している。
【００７４】
第２画像指定部１０６ｄは、例えば、記録部１０３に記録されている動画像（例えば、字幕付きの動画像等）Ｍの中から、ユーザによる操作入力部１０５の所定操作に基づいてユーザが所望する動画像Ｍが選択されると、選択された動画像Ｍを元画像として指定する。
【００７５】
画像生成部１０６ｅは、字幕なし画像（第１の表示画像；図示略）と字幕有り画像（第２の表示画像；図示略）とを生成する。
ここで、字幕なし画像は、視認者が肉眼（コンタクトレンズや眼鏡等の視力矯正治具の有無を問わない）で認識可能な画像である。
字幕有り画像は、視認者が肉眼で認識可能な字幕なし画像に、肉眼では認識不可能で、撮像装置３Ａ等の特殊な装置を介してのみ認識可能な字幕が付加された画像である。
【００７６】
具体的には、画像生成部１０６ｅは、第２画像指定部１０６ｄにより元画像として指定された動画像Ｍを取得して、当該動画像Ｍを構成する複数のフレーム画像の各々について、字幕なし画像と字幕有り画像とを生成する。例えば、画像生成部１０６ｅは、複数のフレーム画像の各々を字幕なし画像とする。また、画像生成部１０６ｅは、これらのフレーム画像（字幕なし画像）の各々に対応する字幕の文字データをそれぞれ取得するとともに、各フレーム画像内で輝度が相対的に高い領域を検出し、検出された輝度が相対的に高い領域に対応する字幕を合成して字幕有り画像とする。
【００７７】
なお、字幕なし画像と字幕有り画像の生成手法は、一例であってこれに限られるものではなく、適宜任意に変更可能である。例えば、元画像として指定された動画像に字幕がない場合には、画像生成部１０６ｅは、ユーザによる操作入力部１０５の所定操作に基づいて入力された文字を各フレーム画像毎に合成して、文字なし画像と文字有り画像とを生成するようにしても良い。
【００７８】
第２特定部１０６ｆは、字幕なし画像や字幕有り画像を表示させるために、時分割で周期的に切り換えられる第１の画素値及び第２の画素値を特定する。
すなわち、第２特定部１０６ｆは、上記実施形態１、２における第１特定部１０６ｂと略同様に、字幕なし画像の各画素の画素値を構成する第１の画素値と、字幕なし画像の各画素の画素値を構成するとともに字幕有り画像の各画素の画素値を構成する第２の画素値とを、各画素毎に特定する。
具体的には、例えば、第２特定部１０６ｆは、第１の期間Ｔ１と第２の期間Ｔ２との割合に応じた割合で第１の画素値と第２の画素値とを合成することにより各画素を構成した画像が、肉眼では見た目上同一の字幕なし画像となり、第２の期間Ｔ２出力される第２の画素値により各画素を構成した画像（第２の分割画像）が撮像装置３Ａを介して認識可能な字幕有り画像となるように、第１の画素値、第１の期間Ｔ１、第２の画素値、第２の期間Ｔ２を各画素毎に特定する。
また、字幕なし画像（第１の表示画像）の各画素の画素値ｆ（ｘ，ｙ）は、上記式（１）に従って、第１の分割画像の各画素の第１の画素値ｈ（ｘ，ｙ）と第１の期間Ｔ１、字幕有り画像（第２の表示画像）を構成する第２の分割画像の各画素の第２の画素値ｇ（ｘ，ｙ）と第２の期間Ｔ２を用いて表される。
そして、字幕なし画像の各画素の画素値ｆ（ｘ，ｙ）と、字幕有り画像（第２の分割画像）の各画素の第２の画素値ｇ（ｘ，ｙ）とを一意的に決定することができれば、第１の分割画像の各画素の第１の画素値ｈ（ｘ，ｙ）は、上記式（２）に従って表される。
【００７９】
なお、第１の画素値で出力される第１の期間Ｔ１と第２の画素値で出力される第２の期間Ｔ２は、表示パネル１０４ａのリフレッシュ周期（リフレッシュレートの逆数）で固定しても良い。
【００８０】
通信制御部１０７は、例えば、赤外線送信部から表示パネル１０４ａのリフレッシュレートに関する信号を撮像装置３Ａに対して送信する。
なお、通信制御部１０７は、上記実施形態１と略同様に、表示部１０４による第２の画素値の出力タイミング（字幕有り画像の表示タイミング）に撮像装置３Ａの撮像部３０３の撮像タイミングを同期させるための同期制御信号を送信しても良い。
【００８１】
＜撮像装置＞
以下に、撮像装置３Ａについて、図１４を参照して説明する。
図１４は、撮像装置３Ａの概略構成を示すブロック図である。
【００８２】
図１４に示すように、撮像装置３Ａは、具体的には、中央制御部３０１と、メモリ３０２と、撮像部３０３と、表示部３０５と、記録部３０６と、操作入力部３０７と、通信制御部３０９等を備えている。
また、中央制御部３０１、メモリ３０２、撮像部３０３、表示部３０５、記録部３０６、操作入力部３０７及び通信制御部３０９は、バスライン３０８を介して接続されている。
なお、以下に詳細に説明する以外の点は、上記実施形態２における撮像装置３と略同様である。
【００８３】
撮像部３０３は、上記実施形態２と同様に、表示パネル１０４ａの表示画面を被写体として撮像して複数のフレーム画像を生成する。
すなわち、撮像制御部３０３ｃは、撮像フレームレートを表示装置１の表示パネル１０４ａのリフレッシュレートの１／２の速度とし、且つ、露光時間（シャッター速度）をリフレッシュ周期（リフレッシュレートの逆数）の１／２の時間として、連続して撮像して複数のフレーム画像を生成する。
また、字幕なし画像と字幕有り画像とは、字幕以外の部分は同一であり、字幕の分だけ全体の明るさに差異が生じるため、この明るさの差異の有無も周期的に変化する。そこで、撮像制御部３０３ｃは、連続して撮像された複数のフレーム画像全体の明るさの変化を基準にして、表示部１０４による第２の画素値の出力タイミング（字幕有り画像の表示タイミング）を特定して、特定された第２の画素値の出力タイミングの位相に露光タイミングの位相を揃えるように調整する。
【００８４】
なお、表示装置１Ａから同期制御信号が送信されて通信制御部３０９により受信された場合には、撮像制御部３０３ｃは、当該同期制御信号を用いて、表示部１０４による第２の画素値の出力タイミング（字幕有り画像の表示タイミング）に撮像部３０３の撮像タイミングを同期させても良い。
【００８５】
通信制御部３０９は、所定の無線通信回線を介して表示装置１Ａ等の外部機器との間で情報の通信制御を行う。
すなわち、通信制御部３０９は、例えば、赤外線受光素子等からなる赤外線受信部（図示略）を有し、この赤外線受信部により表示装置１Ａから送信された表示パネル１０４ａのリフレッシュレートに関する信号を受信する。そして、通信制御部３０９は、受信した表示パネル１０４ａのリフレッシュレートに関する信号を撮像部３０３に出力する。
【００８６】
＜画像視認処理＞
次に、表示システム３００を用いた画像視認処理による出力処理について、図１５を参照して説明する。
図１５は、画像視認処理に係る動作の一例を示すフローチャートである。
【００８７】
図１５に示すように、表示装置１Ａでは、第２画像指定部１０６ｄは、ユーザによる操作入力部１０５の所定操作に基づいて記録部１０３に記録されている動画像（例えば、字幕付き動画像）Ｍの中から選択されたユーザが所望する動画像Ｍを指定する（ステップＳ２１）。
続いて、通信制御部１０７は、表示パネル１０４ａのリフレッシュレートに関する信号を赤外線送信部から撮像装置３Ａに対して送信する（ステップＳ２２）。
【００８８】
なお、ステップＳ２２におけるリフレッシュレートに関する信号の送信は、ステップＳ２１における動画像Ｍの指定前に行われても良い。
【００８９】
次に、画像生成部１０６ｅは、第２画像指定部１０６ｄにより指定された動画像Ｍを取得し、当該動画像Ｍを構成する複数のフレーム画像のうち、先頭のフレーム画像を処理対象として、字幕なし画像を生成する（ステップＳ２３）。続けて、画像生成部１０６ｅは、先頭のフレーム画像に対応する字幕の文字データを取得した後（ステップＳ２４）、当該フレーム画像内で輝度が相対的に高い領域を検出する（ステップＳ２５）。そして、画像生成部１０６ｅは、検出されたフレーム画像内の輝度が相対的に高い領域に、取得済みの対応する字幕を合成して字幕有り画像を生成する（ステップＳ２６）。
【００９０】
そして、第２特定部１０６ｆは、第１の分割画像の各画素毎の第１の画素値、第２の分割画像の各画素毎の第２の画素値を特定する（ステップＳ２７）。
具体的には、第１の画素値で出力される第１の期間Ｔ１と第２の画素値で出力される第２の期間Ｔ２を、表示パネル１０４ａのリフレッシュ周期（リフレッシュレートの逆数）で固定し、第２特定部１０６ｆは、字幕有り画像を第２の分割画像として、第２の分割画像の各画素毎の第２の画素値、第２の期間Ｔ２を各画素毎に特定するとともに、式（１）、（２）に従って、字幕なし画像から第２の分割画像を減算したものを第１の分割画像とし、第１の期間Ｔ１と第２の期間Ｔ２との割合に応じた割合で第１の画素値と第２の画素値とを合成することにより各画素を構成した画像が、肉眼では見た目上同一の字幕なし画像となるように、第１の画素値と第１の期間Ｔ１を各画素毎に特定する。
【００９１】
その後、表示制御部１０６ｃは、各画素の画素値を第１の画素値とする第１の分割画像と、各画素の画素値を第２の画素値とする第２の分割画像とをリフレッシュレートに応じて時分割で周期的に切り換えて表示パネル１０４ａの表示領域に表示させる（ステップＳ２８）。これにより、表示部１０４の表示パネル１０４ａの表示領域には、撮像装置３Ａを用いない視認者でも視認可能な字幕なし画像と、視認者が撮像装置３Ａを用いることで視認可能な字幕有り画像とが表示された状態となる。
【００９２】
続けて、画像生成部１０６ｅは、動画像Ｍを構成する複数のフレーム画像のうちに次のフレーム画像があるか否かを判定する（ステップＳ２９）。
ここで、次のフレーム画像があると判定されると（ステップＳ２９；ＹＥＳ）、画像生成部１０６ｅは、次のフレーム画像を処理対象として、字幕なし画像を新たに生成する（ステップＳ３０）。そして、画像生成部１０６ｅは、処理をステップＳ２４に戻し、上記と同様にステップＳ２４〜Ｓ２６の各処理を行って、次のフレーム画像に対応する字幕有り画像を生成する。
その後、上記と同様に、ステップＳ２７にて、第２特定部１０６ｆは、次のフレーム画像に対応する第１の分割画像の各画素毎の第１の画素値、第２の分割画像の各画素毎の第２の画素値を特定し、ステップＳ２８にて、表示制御部１０６ｃは、第１の分割画像と第２の分割画像とをリフレッシュレートに応じて時分割で周期的に切り換えて表示パネル１０４ａの表示領域に表示させる。
【００９３】
一方、ステップＳ２９にて、次のフレーム画像がないと判定されると（ステップＳ２９；ＮＯ）、表示装置１Ａは、当該画像視認処理を終了する。
【００９４】
撮像装置３Ａでは、ステップＳ２２にて表示装置１Ａから送信された表示パネル１０４ａのリフレッシュレートに関する信号が通信制御部３０９により受信されると、撮像部３０３は、所定の撮像フレームレートで被写体を連続して撮像してライブビュー画像に係る複数のフレーム画像を生成し、表示部３０５は、生成された複数のフレーム画像を所定の再生フレームレートで逐次更新しながらライブビュー画像を表示パネル３０５ａの表示画面に表示する（ステップＳ３１）。
なお、通信制御部３０９による表示パネル１０４ａのリフレッシュレートに関する信号の受信は、ライブビュー画像の撮像及び表示前に行われるようにしたが、一例であってこれに限られるものではなく、後述するように、少なくとも撮像フレームレート及び露光時間の設定前に行われていれば良い。
【００９５】
その後、中央制御部３０１のＣＰＵは、ユーザ（視認者を含む）による操作入力部３０７の所定操作に基づいて録画開始が指示されたか否かを判定する（ステップＳ３２）。
ここで、録画開始が指示されていないと判定されると（ステップＳ３２；ＮＯ）、中央制御部３０１のＣＰＵは、処理をステップＳ３１に戻し、上記と同様に、撮像部３０３によりライブビュー画像が撮像され、表示部３０５は、ライブビュー画像を表示パネル３０５ａに表示させる。
【００９６】
一方、ステップＳ３１にて、録画開始が指示されたと判定されると（ステップＳ３１；ＹＥＳ）、撮像部３０３の撮像制御部３０３ｃは、撮像フレームレートを表示パネル１０４ａのリフレッシュレートの１／２の速度とし、且つ、露光時間をリフレッシュ周期の１／２の時間に設定する（ステップＳ３３）。続けて、撮像制御部３０３ｃは、連続して撮像されたフレーム画像全体の明るさの周期的な変化を基準にして、表示部１０４による第２の画素値の出力タイミング（字幕有り画像の表示タイミング）の位相に露光タイミングの位相を揃えるように調整する（ステップＳ３４）。
【００９７】
次に、表示部３０５は、撮像部３０３により撮像された字幕有り画像のフレーム画像を取得して、表示パネル３０５ａの表示画面に表示する（ステップＳ３５）。そして、記録部３０６は、字幕有り画像のフレーム画像が所定の圧縮形式（例えば、ＭＰＥＧ形式等）で符号化された画像データを記録する。
その後、中央制御部３０１のＣＰＵは、ユーザによる操作入力部３０７の所定操作に基づいて録画終了が指示されたか否かを判定する（ステップＳ３６）。
ここで、録画終了が指示されていないと判定されると（ステップＳ３６；ＮＯ）、中央制御部３０１のＣＰＵは、処理をステップＳ３５に戻し、上記と同様に、表示部３０５は、字幕有り画像のフレーム画像を表示パネル３０５ａに表示させ、記録部３０６は、字幕有り画像のフレーム画像を記録する。
【００９８】
一方、ステップＳ３６にて、録画終了が指示されたと判定されると（ステップＳ３６；ＹＥＳ）、撮像装置３Ａは、当該画像視認処理を終了する。
【００９９】
以上のように、実施形態３の表示システム３００によれば、表示対象が動画像Ｍであっても、上記実施形態２と略同様に、撮像装置３Ａ等の特殊な装置を用いなくとも字幕なし画像（一の表示画像）を視認者に視認させることができるとともに、第２の画素値での出力タイミングに同期して露光／非露光を切り換える撮像装置３Ａ等を用いることで字幕有り画像（他の表示画像）を視認者に視認させることができる。
【０１００】
なお、上記実施形態３では、第１の表示画像を字幕なし画像とし、第２の表示画像を字幕有り画像としたが、一例であってこれに限られるものではなく、例えば、第２の表示画像を字幕のみの画像としても良い。この場合、字幕以外の部分を字幕とは異なる所定の色（例えば、黒色等）の背景画像として、字幕のみを視認者に視認させることができる。
【０１０１】
なお、本発明は、上記実施形態１〜３に限定されることなく、本発明の趣旨を逸脱しない範囲において、種々の改良並びに設計の変更を行っても良い。
例えば、第２の表示画像である特殊画像Ｉｂや字幕有り画像は、相対的に輝度が低くなり、特に肉眼画像Ｉａや字幕なし画像が全体的に暗いときにはさらに輝度が低くなり、コントラストが悪化してしまう。そこで、撮像装置３、３Ａを用いて第２の表示画像を視認者に視認させるような構成（実施形態２、３）では、撮像部３０３により撮像された第２の分割画像（特殊画像Ｉｂや字幕有り画像）の画素値を、例えば、第１の分割画像と第２の分割画像との画素値（輝度値）の比率に基づいて増幅して、画素値を調整しても良い。
これにより、第２の分割画像をより自然な明るさの状態とした上で当該第２の分割画像のコントラストを確保することができる。
【０１０２】
また、例えば、第１の画素値を特定する際に、白や黒といった画素値が極端に大きかったり小さかったりするようなものを除外してより中央寄りの画素値として、第１の分割画像のコントラストを相対的に低くすることで、第２の分割画像（第２の表示画像）のコントラストを相対的に高くしても良い。すなわち、第２の分割画像のコントラストを確保する上で、第１の分割画像のコントラストを意識的に低くすることで、見た目上は第２の分割画像のコントラストが極端に悪化してしまうことを抑制することができる。
さらに、表示パネル１０４ａの各表示画素毎に、画素値の出力タイミングの位相を制御することで、第２の分割画像のコントラストを確保しても良い。すなわち、例えば、表示パネル１０４ａの第２の分割画像の第２の画素値での出力タイミングに同期して、撮像装置３、３Ａが露光／非露光を切り換える構成の場合、第２の画素値が相対的に高い表示画素どうしや第２の画素値が相対的に低い表示画素どうしの出力タイミングの位相を揃えることで、瞬間的にコントラストを向上させた第２の分割画像のフレーム画像を撮像することができる。
【０１０３】
また、上記実施形態１〜３にあっては、複数の画素値として、第１の画素値及び第２の画素値を例示したが、３つ以上の画素値としても良い。
すなわち、表示部１０４が、表示領域を構成する各表示画素毎に、３つ以上の画素値を時分割で周期的に切り換えるように構成し、また、第１特定部１０６ｂ（第２特定部１０６ｆ）が、３つ以上の画素値の各々により各画素を構成した３つ以上の画像が第１の表示画像となり、且つ、３つ以上の画素値のうちの何れか１つの画素値により各画素を構成した画像が第２の表示画像となるように、３つ以上の画素値を各画素毎に特定するように構成し、また、表示制御部１０６ｃが、表示部１０４の各表示画素毎に、特定された各画素毎の３つ以上の画素値を時分割で周期的に切り換えて画像を表示させるように構成しても良い。
【０１０４】
また、上記実施形態１〜３にあっては、第１の表示画像として、静止画像Ｓや字幕なし画像等を例示し、第２の表示画像として、文字、二次元コード、字幕等を例示したが、一例であってこれに限られるものではなく、適宜任意に変更可能である。例えば、第１の表示画像を無料コンテンツとし、第２の表示画像を有料コンテンツとしても良いし、また、第１の表示画像をセキュリティのかかっていないオープンな情報とし、第２の表示画像をセキュリティのかかっている秘密情報としても良い。
【０１０５】
さらに、表示システム１００、２００、３００、表示装置１、１Ａ、眼鏡型端末２、撮像装置３、３Ａの構成は、上記実施形態１〜３に例示したものは一例であり、これに限られるものではない。
また、上記実施形態１〜３で例示した眼鏡型端末２や撮像装置３、３Ａの代わりに、眼鏡型端末２と撮像装置３の両方の機能を具備したウェアラブルコンピューターデバイス、特に、頭部装着型コンピューターデバイス（ヘッドマウンティドディスプレイ）を用いても良い。
【０１０６】
加えて、上記実施形態１〜３にあっては、指定手段、特定手段、表示制御手段としての機能を、中央制御部１０１の制御下にて、第１画像指定部１０６ａ（第２画像指定部１０６ｄ）、第１特定部１０６ｂ（第２特定部１０６ｆ）、表示制御部１０６ｃが駆動することにより実現される構成としたが、これに限られるものではなく、中央制御部１０１のＣＰＵによって所定のプログラム等が実行されることにより実現される構成としても良い。
すなわち、プログラムメモリ（図示略）に、指定処理ルーチン、特定処理ルーチン、表示制御処理ルーチンを含むプログラムを記録しておく。そして、指定処理ルーチンにより中央制御部１０１のＣＰＵに、表示部１０４に表示される第１の表示画像と第２の表示画像とをそれぞれ指定する機能を実現させるようにしても良い。また、特定処理ルーチンにより中央制御部１０１のＣＰＵに、第１の表示画像の各画素の画素値を構成する第１の画素値と、第１の表示画像及び第２の表示画像の各画素の画素値を構成する第２の画素値とを、各画素毎に特定する機能を実現させるようにしても良い。また、表示制御処理ルーチンにより中央制御部１０１のＣＰＵに、表示部１０４の各表示画素毎に、特定された各画素毎の第１の画素値と第２の画素値とを時分割で周期的に切り換えて画像を表示させる機能を実現させるようにしても良い。
【０１０７】
さらに、上記の各処理を実行するためのプログラムを格納したコンピュータ読み取り可能な媒体として、ＲＯＭやハードディスク等の他、フラッシュメモリ等の不揮発性メモリ、ＣＤ−ＲＯＭ等の可搬型記録媒体を適用することも可能である。また、プログラムのデータを所定の通信回線を介して提供する媒体としては、キャリアウェーブ（搬送波）も適用される。
【０１０８】
本発明のいくつかの実施形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
〔付記〕
＜請求項１＞
表示領域を構成する各表示画素毎に、複数の画素値を時分割で周期的に切り換える表示手段と、
前記表示手段に表示される第１の表示画像と第２の表示画像とをそれぞれ指定する指定手段と、
前記第１の表示画像の各画素の画素値を構成する第１の画素値と、前記第１の表示画像及び前記第２の表示画像の各画素の画素値を構成する第２の画素値とを、各画素毎に特定する特定手段と、
前記表示手段の各表示画素毎に、前記特定手段により特定された各画素毎の前記第１の画素値と前記第２の画素値とを時分割で周期的に切り換えて画像を表示させる表示制御手段と、
を備えたことを特徴とする表示装置。
＜請求項２＞
前記特定手段は、前記第１の表示画像を構成し、各画素の画素値を前記第１の画素値とする第１の分割画像を特定するとともに、前記第１の表示画像及び前記第２の表示画像を構成し、各画素の画素値を前記第２の画素値とする第２の分割画像を特定し、
前記表示制御手段は、前記特定手段により特定された前記第１の分割画像と前記第２の分割画像とを時分割で周期的に切り換えて前記表示手段に表示させる
ことを特徴とする請求項１に記載の表示装置。
＜請求項３＞
前記特定手段は、更に、
前記第１の画素値で出力される第１の期間と前記第２の画素値で出力される第２の期間との割合に応じて前記第１の画素値と前記第２の画素値とを合成することにより各画素を構成した画像が前記第１の表示画像となり、且つ、前記第２の期間出力される前記第２の画素値により各画素を構成した画像が前記第２の表示画像となるように、前記第１の画素値、前記第２の画素値、前記第１の期間及び前記第２の期間を各画素毎に特定し、
前記表示制御手段は、更に、
前記特定手段により特定された各画素毎の前記第１の画素値、前記第２の画素値、前記第１の期間及び前記第２の期間に基づいて、前記表示手段の各表示画素毎に前記第１の画素値で前記第１の期間出力するとともに前記第２の画素値で前記第２の期間出力するように時分割で周期的に切り換えて、前記表示手段に前記第１の表示画像及び前記第２の表示画像を表示させる
ことを特徴とする請求項１又は２に記載の表示装置。
＜請求項４＞
前記特定手段は、前記第１の表示画像と前記第２の表示画像とに基づいて、前記第１の分割画像と前記第２の分割画像とを生成して特定する
ことを特徴とする請求項２に記載の表示装置。
＜請求項５＞
前記表示手段は、前記第１の画素値と前記第２の画素値とを、その変化を肉眼では認識不可能な所定速度で周期的に切り換えながら表示し、
前記第１の表示画像は、肉眼で認識可能であり、
前記第２の表示画像は、前記第２の画素値での出力タイミングに同期した外部装置を介して認識可能である
ことを特徴とする請求項２に記載の表示装置。
＜請求項６＞
前記外部装置は、前記第２の画素値での出力タイミングに同期して透過／非透過を切り換える眼鏡と、前記第２の画素値での出力タイミングに同期して露光／非露光を切り換える撮像装置とのうち、少なくとも一方を含む
ことを特徴とする請求項５に記載の表示装置。
＜請求項７＞
前記表示手段は、前記表示領域を構成する各表示画素毎に、３つ以上の画素値を時分割で周期的に切り換え、
前記特定手段は、前記３つ以上の画素値の各々により各画素を構成した３つ以上の画像が前記第１の表示画像となり、且つ、前記３つ以上の画素値のうちの何れか１つの画素値により各画素を構成した画像が前記第２の表示画像となるように、前記３つ以上の画素値を各画素毎に特定し、
前記表示制御手段は、前記表示手段の各表示画素毎に、前記特定手段により特定された各画素毎の前記３つ以上の画素値を時分割で周期的に切り換えて画像を表示させる
ことを特徴とする請求項２に記載の表示装置。
＜請求項８＞
前記第１の表示画像は、前記表示手段の表示領域全体に表示される画像であり、
前記第２の表示画像は、前記第１の表示画像よりも小さい画像であり、
前記表示手段は、前記第１の表示画像内で輝度が相対的に高い領域に前記第２の表示画像を表示する
ことを特徴とする請求項１〜７の何れか一項に記載の表示装置。
＜請求項９＞
表示領域を構成する各表示画素毎に、複数の画素値を時分割で周期的に切り換える表示手段を備える表示装置を用いた表示方法であって、
前記表示手段に表示される第１の表示画像と第２の表示画像とをそれぞれ指定する処理と、
前記第１の表示画像の各画素の画素値を構成する第１の画素値と、前記第１の表示画像及び前記第２の表示画像の各画素の画素値を構成する第２の画素値とを、各画素毎に特定する処理と、
前記表示手段の各表示画素毎に、特定された各画素毎の前記第１の画素値と前記第２の画素値とを時分割で周期的に切り換えて画像を表示させる処理と、
を含むことを特徴とする表示方法。
＜請求項１０＞
表示領域を構成する各表示画素毎に、複数の画素値を時分割で周期的に切り換える表示手段を備える表示装置のコンピュータを、
前記表示手段に表示される第１の表示画像と第２の表示画像とをそれぞれ指定する指定手段、
前記第１の表示画像の各画素の画素値を構成する第１の画素値と、前記第１の表示画像及び前記第２の表示画像の各画素の画素値を構成する第２の画素値とを、各画素毎に特定する特定手段、
前記表示手段の各表示画素毎に、前記特定手段により特定された各画素毎の前記第１の画素値と前記第２の画素値とを時分割で周期的に切り換えて画像を表示させる表示制御手段、
として機能させることを特徴とするプログラム。
【符号の説明】
【０１０９】
１００、２００、３００  表示システム
１、１Ａ  表示装置
１０１    中央制御部
１０４    表示部
１０４ａ  表示パネル
１０５    操作入力部
１０６    動作処理部
１０６ａ  第１画像指定部
１０６ｂ  第１特定部
１０６ｃ  表示制御部
１０６ｄ  第２画像指定部
１０６ｅ  画像生成部
１０６ｆ  第２特定部
１０７    通信制御部
２        眼鏡型端末
２０３    画像選択部
２０５    通信制御部
３、３Ａ  撮像装置
３０９    通信制御部
【図１】
2018010059.tif 000005
【図２】
2018010059.tif 000006
【図３】
2018010059.tif 000007
【図４】
2018010059.tif 000008
【図５】
2018010059.tif 000009
【図６】
2018010059.tif 000010
【図７】
2018010059.tif 000011
【図８】
2018010059.tif 000012
【図９】
2018010059.tif 000013
【図１０】
2018010059.tif 000014
【図１１】
2018010059.tif 000015
【図１２】
2018010059.tif 000016
【図１３】
2018010059.tif 000017
【図１４】
2018010059.tif 000018
【図１５】
2018010059.tif 000019